(57)【要約】      （修正有）【課題】長さ記憶機能を有する伸縮杖を提供する。【解決手段】長さ記憶機能を有する伸縮杖は、管部材セット１及び２つの調整部材を含む。管部材セット１は、ケーシングパイプ１１と、ケーシングパイプ１１の両端にそれぞれ挿設される第１の収縮管１２及び第２の収縮管１３と、を含む。ケーシングパイプ１１の第１の収縮管１２及び第２の収縮管１３の位置決め孔に対向する一方の側面には、大径孔及び小径孔が設けられる。２つの調整部材２は、第１の収縮管１２及び第２の収縮管１３の位置決めを制御及び調整するために用いられる。各調整部材は、ベース、制御ボタン及び弾性部材を含む。制御ボタンを押圧することにより、第１の収縮管１２及び第２の収縮管１３の長さ調整及び位置決めを行うことができるため、ユーザが次回使用する際に新たに調整しなおす必要がない。【選択図】図１
0003185401.tif 000002
【実用新案登録請求の範囲】
【請求項１】
管部材セット及び２つの調整部材を備える長さ記憶機能を有する伸縮杖であって、
前記管部材セットは、ケーシングパイプと、前記ケーシングパイプの両端にそれぞれ挿設される第１の収縮管及び第２の収縮管と、を有し、前記第１の収縮管及び第２の収縮管は、前記ケーシングパイプに対する長さを伸縮調整することができ、前記第１の収縮管及び前記第２の収縮管の任意の一方の側面には、間隔をあけて配列する複数の位置決め孔が設けられ、前記ケーシングパイプの前記第１の収縮管及び第２の収縮管の位置決め孔に対向する一方の側面には、大径孔及び小径孔が設けられ、
前記２つの調整部材は、前記ケーシングパイプと前記第１の伸縮管との間と、前記ケーシングパイプと前記第２の伸縮管との間と、にそれぞれ設置され、前記２つの調整部材は、前記第１の収縮管及び第２の収縮管の位置決め孔と、前記ケーシングパイプの大径孔及び小径孔と、にそれぞれ対応し、前記２つの調整部材は、それぞれ、ベース、制御ボタン及び弾性部材を有し、前記各ベースは、前記第１の収縮管及び前記第２の収縮管の外部側面に貼設され、前記各ベースの前記ケーシングパイプに対向する面には、装着溝が凹設され、前記各装着溝の底部には、挿入孔が設けられ、
前記各制御ボタンは、対応する前記装着溝内に装着され、前記各制御ボタンは、位置決め柱及び位置規制ヘッドを有し、前記各位置決め柱の一方の端部は、前記位置規制ヘッドに接続され、他方の端部は、前記第１の収縮管及び前記第２の収縮管の調整が完了した際、対応する前記挿入孔と、前記第１の収縮管及び第２の収縮管の位置決め孔と、に挿入され、前記各位置規制ヘッドの周側には、上端から前記位置決め柱の方向に、第１の当接部及び第２の当接部が階段状に突設され、前記各第１の当接部は、前記第１の収縮管及び前記第２の収縮管の調整が完了した際、前記ケーシングパイプの小径孔の端部に当接され、前記第２の当接部は、前記第１の収縮管及び前記第２の収縮管を調整する過程において、前記ケーシングパイプの大径孔の端部に当接され、
前記各弾性部材は、対応する前記位置決め柱に嵌設され、前記各弾性部材の一方の端部は、前記位置規制ヘッドに弾性当接され、他方の端部は、前記ベースの装着溝底部に弾性当接されることを特徴とする長さ記憶機能を有する伸縮杖。
【請求項２】
前記ケーシングパイプの両端には、栓部材が装着され、前記各栓部材の一方の端部は、前記ケーシングパイプに挿入され、前記第１の伸縮管及び前記第２の伸縮管は、対応する前記栓部材に貫設されることを特徴とする請求項１に記載の長さ記憶機能を有する伸縮杖。
【請求項３】
前記大径孔及び前記小径孔の開口には、前記大径孔及び前記小径孔の開口を密封する軟性栓部材が設けられることを特徴とする請求項１に記載の長さ記憶機能を有する伸縮杖。
【請求項４】
前記ケーシングパイプの外周囲上には、グリップが設けられることを特徴とする請求項１に記載の長さ記憶機能を有する伸縮杖。
【請求項５】
前記ケーシングパイプから露出する前記第１の伸縮管の一方の端部には、支持パッドが装着され、前記ケーシングパイプから露出する前記第２の伸縮管の一方の端部には、滑り止めカバーが嵌設されることを特徴とする請求項１に記載の長さ記憶機能を有する伸縮杖。
【請求項６】
前記第１の収縮管及び前記第２の収縮管の前記位置決め孔が設けられる一方の側面には、複数の目盛りが間隔をあけて刻印され、前記各目盛りは、前記位置決め孔と同一方向に配列することを特徴とする請求項１に記載の長さ記憶機能を有する伸縮杖。
【考案の詳細な説明】
【技術分野】
【０００１】
本考案は、長さ記憶機能を有する伸縮杖に関し、特に、体が不自由な人の歩行補助を行うために用いられ、ユーザが常用する長さを記憶することができるため、長さを調整する時間を減少させることができ、実用性が極めて高い伸縮杖に関する。
【背景技術】
【０００２】
現在、徐々に高齢化社会に突入している。高齢者は、身体の機能が徐々に衰えていくため、病気になったり、老化が進行したりし、例えば、骨粗鬆症、関節疾病、視力低下などの状況が発生する。また、高齢者の増加のみならず、少子化も現代社会の趨勢であるため、今後は、高齢者全員が青年及び壮年の適切な介護を受けられるとは限らない。従って、大部分の高齢者は、自分で自分の面倒を見るために、介護用品などを利用して日常生活を送らなければならない。
【０００３】
多くの介護用品中、車椅子及び杖は、最も多くの人に使用される介護用品である。杖と比較し、車椅子は、体積が大きいため、利便性が比較的限定される。また、車椅子を自分で操作して移動する場合、大きな力が必要であるため、杖の方がより多くの人に使用されている。特許文献１の機能性歩行補助器は、本体を含む。歩行補助器内部は、中空管であり、中空管内には、孔を有する鉄管が設けられる。また、グリップの下には、押圧可能なピンが設けられる。ピンを鉄管の円孔に挿入することにより、歩行補助器の高さを変更することができるため、ユーザが必要とする高さに調整し、歩行補助器を快適に使用することができる。これにより、ユーザ自身が歩行補助器の高さに合わせることにより、身体が傷害を受けるのが防止される。
【０００４】
上述の機能性歩行補助器は、体が不自由なユーザの体重を支持して歩行を補助することができる上、ユーザの身長に合わせて高さを調整することができる。また、使用後、収縮させることができるため、占拠される空間を節約することができる。しかし、上述の従来の機能性歩行補助器は、次回使用する際、長さを調整する作業を再び行わなければならない。高齢者は、年齢の関係により、記憶力が衰える傾向があるため、前回使用した際に調整した高さを記憶できない場合がある。このため、適切な高さに再び調整する場合、多くの時間を費やす必要がある。また、高齢者は、身体機能が低下しているため、重複して調整作業を行うことにより、身体が傷害を受ける虞がある。従って、関連業者は、より多くの人の需要を満たすために、改良及び改善を行う必要がある。
【０００５】
上述の従来技術の欠点に鑑み、本考案の考案者は、長期間に渡って関連技術の研究を行い、各技術の優劣を比較し、関連製品の研究開発を行い、実験及びテストを繰り返し行い、ついに、従来技術の欠点を改善することができ、多くの人の需要を満たすことができる長さ記憶機能を有する伸縮杖を案出した。
【先行技術文献】
【特許文献】
【０００６】
【特許文献１】台湾実用新案公告第Ｍ４４４１７２号
【考案の概要】
【考案が解決しようとする課題】
【０００７】
本考案の主な目的は、従来技術における、体が不自由なユーザが長さを調整する場合、時間が長く掛かる上、一度で目的の長さに調整できない場合、腰を曲げたり、伸ばしたりする動作を継続して行わなければならないため、長さを調整する作業を行うことによって身体が傷害を受けるという欠点を改善することができる長さ記憶機能を有する伸縮杖を提供することにある。
【課題を解決するための手段】
【０００８】
上述の課題を解決するために、請求項１の考案は、管部材セット及び２つの調整部材を備える長さ記憶機能を有する伸縮杖であって、管部材セットは、ケーシングパイプと、ケーシングパイプの両端にそれぞれ挿設される第１の収縮管及び第２の収縮管と、を有し、第１の収縮管及び第２の収縮管は、ケーシングパイプに対する長さを伸縮調整することができ、第１の収縮管及び第２の収縮管の任意の一方の側面には、間隔をあけて配列する複数の位置決め孔が設けられ、ケーシングパイプの第１の収縮管及び第２の収縮管の位置決め孔に対向する一方の側面には、大径孔及び小径孔が設けられ、２つの調整部材は、ケーシングパイプと第１の伸縮管との間と、ケーシングパイプと第２の伸縮管との間にそれぞれ設置され、２つの調整部材は、第１の収縮管及び第２の収縮管の位置決め孔と、ケーシングパイプの大径孔及び小径孔と、にそれぞれ対応し、２つの調整部材は、それぞれ、ベース、制御ボタン及び弾性部材を有し、各ベースは、第１の収縮管及び第２の収縮管の外部側面に貼設され、各ベースのケーシングパイプに対向する面には、装着溝が凹設され、各装着溝の底部には、挿入孔が設けられ、各制御ボタンは、対応する装着溝内に装着され、各制御ボタンは、位置決め柱及び位置規制ヘッドを有し、各位置決め柱の一方の端部は、位置規制ヘッドに接続され、他方の端部は、第１の収縮管及び第２の収縮管の調整が完了した際、対応する挿入孔と、第１の収縮管及び第２の収縮管の位置決め孔と、に挿入され、各位置規制ヘッドの周側には、上端から位置決め柱の方向に、第１の当接部及び第２の当接部が階段状に突設され、各第１の当接部は、第１の収縮管及び第２の収縮管の調整が完了した際、ケーシングパイプの小径孔の端部に当接され、第２の当接部は、第１の収縮管及び第２の収縮管を調整する過程において、ケーシングパイプの大径孔の端部に当接され、各弾性部材は、対応する位置決め柱に嵌設され、各弾性部材の一方の端部は、位置規制ヘッドに弾性当接され、他方の端部は、ベースの装着溝底部に弾性当接されることを特徴とする長さ記憶機能を有する伸縮杖である。
【０００９】
請求項２の考案は、ケーシングパイプの両端には、栓部材が装着され、各栓部材の一方の端部は、ケーシングパイプに挿入され、第１の伸縮管及び第２の伸縮管は、対応する栓部材に貫設されることを特徴とする請求項１に記載の長さ記憶機能を有する伸縮杖である。
【００１０】
請求項３の考案は、大径孔及び小径孔の開口には、大径孔及び小径孔の開口を密封する軟性栓部材が設けられることを特徴とする請求項１に記載の長さ記憶機能を有する伸縮杖である。
【００１１】
請求項４の考案は、ケーシングパイプの外周囲上には、グリップが設けられることを特徴とする請求項１に記載の長さ記憶機能を有する伸縮杖である。
【００１２】
請求項５の考案は、ケーシングパイプから露出する第１の伸縮管の一方の端部には、支持パッドが装着され、ケーシングパイプから露出する第２の伸縮管の一方の端部には、滑り止めカバーが嵌設されることを特徴とする請求項１に記載の長さ記憶機能を有する伸縮杖である。
【００１３】
請求項６の考案は、第１の収縮管及び第２の収縮管の位置決め孔が設けられる一方の側面には、複数の目盛りが間隔をあけて刻印され、各目盛りは、位置決め孔と同一方向に配列することを特徴とする請求項１に記載の長さ記憶機能を有する伸縮杖である。
【考案の効果】
【００１４】
ユーザが第１の伸縮管及び第２の伸縮管の長さを調整する際、先ず、制御ボタンを押圧し、制御ボタンの位置規制ヘッドの第１の当接部を小経孔から離脱させる。次に、第１の伸縮管及び第２の伸縮管を外側に引き出し、制御ボタンの位置規制ヘッドの第２の当接部を大径孔に当接する。この際、第１の伸縮管及び第２の伸縮管の位置決め孔から制御ボタンの位置決め柱が離脱しているため、第１の伸縮管及び第２の伸縮管は、長さを調整することが可能な状態である。ユーザが第１の伸縮管及び第２の伸縮管の長さを確定し、大径孔に当接された制御ボタンを押圧すると、位置決め柱が位置決め孔に挿入される。次に、第１の伸縮管及び第２の伸縮管をケーシングパイプ内に収縮させることにより、制御ボタンの位置規制ヘッドが小径孔に当接され、位置決めされる。この方式によって長さを調整することにより、ユーザが次回使用する際、長さを調整するのに時間を費やす必要がなく、腰を曲げたり、伸ばしたりする動作を減少できるため、身体が傷害を受けるのを防止することができる。
【図面の簡単な説明】
【００１５】
【図１】本考案の長さ記憶機能を有する伸縮杖を示す斜視図である。
【図２】本考案の長さ記憶機能を有する伸縮杖を示す斜視図である。
【図３】本考案の長さ記憶機能を有する伸縮杖の一部を示す分解斜視図である。
【図４】本考案の長さ記憶機能を有する伸縮杖の制御ボタンが小径孔に当接された状態を示す断面図である。
【図５】本考案の長さ記憶機能を有する伸縮杖の制御ボタンが下方に押圧された状態を示す断面図である。
【図６】本考案の長さ記憶機能を有する伸縮杖の制御ボタンが下方に押圧された後、第１の伸縮管が外側に引き出され、制御ボタンが変位した状態を示す断面図である。
【図７】本考案の長さ記憶機能を有する伸縮杖の第１の伸縮管が引き出された後、制御ボタンが大径孔に当接された状態を示す断面図である。
【図８】本考案の長さ記憶機能を有する伸縮杖の制御ボタンが押圧されて大径孔から離脱した状態を示す断面図である。
【図９】本考案の長さ記憶機能を有する伸縮杖の第１の伸縮管及び第２の伸縮管が引き出された状態を示す斜視図である。
【考案を実施するための形態】
【００１６】
本考案が実現可能な目的及び効果を明確に説明するために、本考案で採用する技術、手段及び効果を示す実施形態を図面に沿って詳細に説明する。
【００１７】
本考案の好適な実施形態を以下に示すが、以下の説明は、本考案を制限するものではない。
【００１８】
図１〜図３を参照する。図１〜図３に示すように、本考案の長さ記憶機能を有する伸縮杖は、管部材セット１及び２つの調整部材２を含む。
【００１９】
管部材セット１は、ケーシングパイプ１１と、ケーシングパイプ１１の両端にそれぞれ挿設される第１の収縮管１２及び第２の収縮管１３と、を含む。第１の収縮管１２及び第２の収縮管１３は、ケーシングパイプ１１に対する長さを伸縮調整することができる。また、第１の収縮管１２及び第２の収縮管１３の任意の一方の側面には、間隔をあけて配列する複数の位置決め孔１４が設けられる。ケーシングパイプ１１の第１の収縮管１２及び第２の収縮管１３の位置決め孔１４に対向する一方の側面には、大径孔１１１及び小径孔１１２が設けられる。
【００２０】
２つの調整部材２は、ケーシングパイプ１１と第１の伸縮管１２との間と、ケーシングパイプ１１と第２の伸縮管１３との間と、にそれぞれ設置される。各調整部材２は、第１の収縮管１２及び第２の収縮管１３の位置決め孔１４と、ケーシングパイプ１１の大径孔１１１及び小径孔１１２と、にそれぞれ対応する。各調整部材２は、それぞれ、ベース２１、制御ボタン２２及び弾性部材２３を含む。各ベース２１は、第１の収縮管１２及び第２の収縮管１３の外側面に貼設される。各ベース２１のケーシングパイプ１１に対向する面には、装着溝２１１が凹設される。各装着溝２１１の底部には、挿入孔２１２が設けられる。
【００２１】
各制御ボタン２２は、対応する装着溝２１１内に装着される。各制御ボタン２２は、位置決め柱２２１及び位置規制ヘッド２２２を含む。各位置決め柱２２１の一方の端部は、位置規制ヘッド２２２に接続され、他方の端部は、第１の収縮管１２及び第２の収縮管１３の調整が完了した際、対応する挿入孔２１２と、第１の収縮管１２及び第２の収縮管１３の位置決め孔１４と、に挿入される。各位置規制ヘッド２２２の周側は、上端から位置決め柱２２１の方向に、第１の当接部２２２１及び第２の当接部２２２２が階段状に突設される。各第１の当接部２２２１は、第１の収縮管１２及び第２の収縮管１３の調整が完了した際、ケーシングパイプ１１の小径孔１１２の端部に当接される。第２の当接部２２２２は、第１の収縮管１２及び第２の収縮管１３を調整する過程において、ケーシングパイプ１１の大径孔１１１の端部に当接される。各弾性部材２３は、対応する位置決め柱２２１に嵌設される。各弾性部材２３の一方の端部は、位置規制ヘッド２２２に弾性当接され、他方の端部は、ベース２１の装着溝２１１底部に弾性当接される。
【００２２】
図４〜図８を参照する。図４〜図８に示すように、ユーザが杖の高さを調整する作業を行う時間を節約するために、ユーザが本考案を使用する際、先ず、ケーシングパイプ１１に対する第１の収縮管１２及び第２の収縮管１３の伸縮長さを調整する。次に、ユーザが制御ボタン２２（このとき、制御ボタン２２の位置規制ヘッド２２２は、小径孔１１２に当接され、位置決め柱２２１は、第１の伸縮管１２の位置決め孔１４に挿設されている）を押圧し、制御ボタン２２の位置規制ヘッド２２２を小径孔１１２から離脱させる。これにより、制御ボタン２２の位置決め柱２２１は、第１の伸縮管１２の位置決め孔１４の方向に更に深く挿入される。次に、ケーシングパイプ１１に対して第１の伸縮管１２を外側に引き出すことにより、調整部材２を移動させる。ここで、第２の伸縮管１３の調整方式は、第１の伸縮管１２と同一であるため、ここでは、第１の伸縮管１２の調整方式のみを説明する。
【００２３】
調整部材２の弾性部材２３は、制御ボタン２２の圧縮を受け、弾性力を蓄えているため、制御ボタン２２が大径孔１１１に対向すると、弾性部材２３が制御ボタン２２を大径孔１１１の方向に弾き出す。制御ボタン２２が弾き出されることにより、位置規制ヘッド２２２周囲の第２の当接部２２２２がケーシングパイプ１１に当接され、第２の当接部２２２２以上に位置する位置規制ヘッド２２２が大径孔１１１から突出する。また、制御ボタン２２の位置決め柱２２１は、第１の伸縮管１２の位置決め孔１４から離脱する。この際、第１の伸縮管１２は、制御ボタンが離脱するため、ケーシングパイプ１１内を自由に移動させ、長さを調整することができる。
【００２４】
次に、第１の伸縮管１２の位置決め孔１４を制御ボタン２２の位置決め柱２２１に位置合わせし、制御ボタン２２を押圧することにより、大径孔１１１から制御ボタン２２の位置規制ヘッド２２２を離脱させる。制御ボタン２２の位置決め柱２２１は、第１の伸縮管１２の調整完了後の位置決め孔１４に再び挿設される。次に、第１の伸縮管１２を第２の伸縮管１３の方向に移動させ、ケーシングパイプ１１内に引き込む。この際、第１の伸縮管１２の変位によって調整部材２も移動し、制御ボタン２２が小径孔１１２に対向したとき、弾性部材２３の弾性力により、制御ボタン２２が小径孔１１２の方向に弾き出される。制御ボタン２２が弾き出されることにより、位置規制ヘッド２２２周囲の第１の当接部２２２１がケーシングパイプ１１に当接される。位置決め柱２２１は、第１の伸縮管１２の位置決め孔１４に挿設された状態を保持する。これにより、第１の伸縮管１２とケーシングパイプ１１とは、互いに位置決めされる。
【００２５】
上述の調整方式により、第１の収縮管１２及び第２の収縮管１３がケーシングパイプ１１内に収納された状態において、ユーザが第１の収縮管１２及び第２の収縮管１３を引き出して使用する場合、制御ボタン２２が小径孔１１２に対向する位置まで、第１の収縮管１２及び第２の収縮管１３を外側に引き出せばよい。このときの第１の収縮管１２及び第２の収縮管１３の長さは、前回使用したときの長さである。また、ユーザが第１の収縮管１２及び第２の収縮管１３の長さを再調整する場合は、上述の調整方式によって再度調整を行うことができる。これにより、ユーザが長さ調整を行う時間を大幅に節約することができ、ユーザが腰を曲げたり、伸ばしたりする動作を減少できるため、身体が傷害を受けるのを防止することができる。本考案の第１の伸縮管１２の調整方式及び第２の伸縮管１３の調整方式は、同一であるため、ここでは、第２の伸縮管１３の調整方式を説明しない。
【００２６】
本考案の他の細部の技術特徴を以下（１）〜（５）に例を挙げながら説明する。
【００２７】
（１）ケーシングパイプ１１から第１の収縮管１２及び第２の収縮管１３が離脱するのを防止するために、ケーシングパイプ１１の両端には、栓部材３が装着される。栓部材３の一方の端部は、ケーシングパイプ１１内に挿入される上、ケーシングパイプ１１に接続される。各栓部材３には、ケーシングパイプ１１内に連通する貫通孔３１が設けられる。第１の収縮管１２及び第２の収縮管１３は、対応する栓部材３の貫通孔３１に挿入される上、栓部材３に貫設される。ケーシングパイプ１１と第１の収縮管１２及び第２の収縮管１３との間に、各調整部材２が装着されていることにより、ケーシングパイプ１１から第１の収縮管１２及び第２の収縮管１３を引き出す際、各調整部材２が栓部材３に当接されるため、第１の収縮管１２及び第２の収縮管１３は、ケーシングパイプ１１から離脱しない（図１〜図３参照）。
【００２８】
（２）第１の収縮管１２及び第２の収縮管１３の位置決め孔１４が設けられる一方の側面には、複数の目盛り１５が間隔をあけて刻印される。各目盛り１５は、位置決め孔１４と同一方向に配列し、ユーザが第１の収縮管１２及び第２の収縮管１３の長さを調整する際、栓部材３の上縁に目盛り１５を位置合わせすればよい。ユーザが目盛り１５によって適切な長さに調整した際、制御ボタン２２の位置決め柱２２１も第１の収縮管１２及び第２の収縮管１３の位置決め孔１４に位置合わせされる。これにより、制御ボタン２２を再び押圧すると、制御ボタン２２が大径孔１１１から離脱し、第１の収縮管１２及び第２の収縮管１３の位置決め孔１４に挿設される。最後に、制御ボタン２２は、第１の収縮管１２及び第２の収縮管１３によって移動し、小径孔１１２に当接されて位置決めされる（図３参照）。
【００２９】
（３）ユーザが第１の収縮管１２及び第２の収縮管１３の長さを調整する際、空気中のゴミ、埃などが管部材セット１内に堆積するのを防止するために、大径孔１１１及び小径孔１１２の開口には、軟性栓部材４が設けられる。各軟性栓部材４は、大径孔１１１及び小径孔１１２の開口を密封する。また、ユーザが位置決め及び調整の機能を明確に認識できるように、大径孔１１１及び小径孔１１２の軟性栓部材４は、色による区別が行われる。これにより、ユーザは、最短時間により、ケーシングパイプ１１に対する第１の収縮管１２及び第２の収縮管１３の長さ調整及び位置決めを行うことができる（図３〜図８参照）。
【００３０】
（４）ユーザがしゃがんだ状態又は座った状態から、起立する過程を安定させ、転倒するのを防止するために、ケーシングパイプ１１の外周囲には、グリップ５が設けられる。ユーザは、しゃがんだ状態又は座った状態から、起立する際、グリップ５を握持して体重を支えることができるため、転倒して負傷する状況が発生するのを防止することができる（図１及び図２参照）。
【００３１】
（５）ユーザが起立状態の際の安全性を確保するために、ケーシングパイプ１１から露出する第１の伸縮管１２の一方の端部には、支持パッド６が設けられ、ケーシングパイプ１１から露出する第２の伸縮管１３の一方の端部には、滑り止めカバー７が設けられる。これにより、ユーザが起立状態の際、わきの下に支持パッド６を挟んで身体の体重を支持することができる。また、滑り止めカバー７により、ユーザの体重を支える際、杖が滑ってユーザが転倒して負傷するのを防止することができる（図１及び図２参照）。
【００３２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３３】
１  管部材セット
１１  ケーシングパイプ
１１１  大径孔
１１２  小径孔
１２  第１の伸縮管
１３  第２の伸縮管
１４  位置決め孔
１５  目盛り
２  調整部材
２１  ベース
２１１  装着溝
２１２  挿入孔
２２  制御ボタン
２２１  位置決め柱
２２２  位置規制ヘッド
２２２１  第１の当接部
２２２２  第２の当接部
２３  弾性部材
３  栓部材
３１  貫通孔
４  軟性栓部材
５  グリップ
６  支持パッド
７  滑り止めカバー
【図１】
0003185401.tif 000003
【図２】
0003185401.tif 000004
【図３】
0003185401.tif 000005
【図４】
0003185401.tif 000006
【図５】
0003185401.tif 000007
【図６】
0003185401.tif 000008
【図７】
0003185401.tif 000009
【図８】
0003185401.tif 000010
【図９】
0003185401.tif 000011